(57)【特許請求の範囲】
【請求項１】
複数の加入機（１〜４）がリング状に相互接続されたデータ伝送用ネットワークを初期化する方法であり、このネットワーク内において、あるネットワーク・ポジションから発生したクロック信号が連続データストリームとして送られ、各ネットワーク加入機において、そのデータストリームの受信後、前記クロック信号の特定周波数へのロック工程が行われ、このロック工程の完了後、データストリームは続いて次の加入機に送られるものであって、各加入機（１〜４）がデータストリームを受信すると、前記クロック周波数へのロック工程を開始する前に、前記データストリームを２つに分け、その一方の部分を前記加入機におけるロック工程に利用するとともに、他方の部分を内部バイパス線（１２）を介して次の加入機に転送するネットワークの初期化方法において、
ネットワークの初期化の際データストリームが前段の加入機の内部バイパス線（１２）を介して各加入機に転送されることで全加入機が同時的にロック工程を実行し、かつ、ロック工程に成功しエラーが発生していない加入機の内部バイパス線（１２）が遮断され、これにより続いて当該加入機を介してのみデータストリームが次の加入機に送られることを特徴とするネットワークの初期化方法。
【請求項２】
前記各加入機（１〜４）によって受け取られた前記データストリームは、制御装置（７）に送られ、ここで、複製によって第１データストリームと第２データストリームとが生成され、前記第１データストリームがロック回路（９）に送られ、前記第２データストリームが次の加入機（１〜４）に転送され、前記ロック工程の完了後、前記制御装置（７）が前記ロック回路（９）に送られた前記第１データストリームを、次の加入機（１〜４）に転送するとともに、前記第２データストリームを中断する請求項１に記載のネットワークの初期化方法。
【請求項３】
ある加入機（１〜４）において誤作動が発生した時、前記制御装置（７）は、この誤作動発生加入機が受け取ったデータストリームを直接、次の加入機（１〜４）に転送する請求項２に記載のネットワークの初期化方法。
【請求項４】
ある加入機（１〜４）において誤作動が発生した時、前記制御装置（７）は、複製によって第１及び第２データストリームを生成し、前記第１データストリームを前記ロック回路（９）に送るとともに第２データストリームを次の加入機（１〜４）に送り、前記誤作動発生加入機が機能回復し再度ロックした時に、前記ロック回路（９）に送られていた前記第１データストリームを次の加入機（１〜４）に送るとともに、再度、前記第２データストリームを中断する請求項３に記載のネットワークの初期化方法。
【請求項５】
前記制御装置（７）は、誤作動が発生したとき、エラー報告信号を出力する請求項３又は４に記載のネットワークの初期化方法。
【請求項６】
前記エラー報告信号は、前記誤作動発生加入機（１〜４）のアドレスを含み、前記エラー報告信号は、前記ネットワークを介してこのエラー報告信号を処理するロケーションへと送られる請求項５に記載のネットワークの初期化方法。
【発明の詳細な説明】
【０００１】
【発明の属する技術分野】
本発明は、複数の加入機がリング状に相互接続されたデータ伝送用ネットワークを初期化する方法に関し、詳しくは、ネットワーク内では、あるネットワーク・ポジションにおいて発生されたクロック信号が連続データストリームとして送られ、各加入機において、そのデータストリームを受信後、前記クロックの特定周波数へのロック工程が行われ、このロック工程の完了後、データストリームは続いて次の加入機に送られるようになっているネットワークの初期化方法に関する。尚、本明細書において「加入機（サブスクライバー）」の語は、一般的に用いられる加入者の意味を含むものとする。
【０００２】
【従来の技術】
複数の加入機がリング状に相互接続されたデータ伝送用ネットワークにおいて、データは加入機間においてある特定のクロック周波数で伝送される。そのためには、クロック信号があるポイントから、特に、マスタとして機能する加入機によって、このネットワークに送り込まれなければならない。公知のこのタイプの方法において、マスタは自分が発生したクロック信号を次の加入機に送り、この次の加入機において、送られてきたクロック信号の周波数へのロック工程が開始される。そして、このクロック周波数へのロック工程の完了後、この加入機はマスタから受け取ったデータを次の加入機に転送し、ここで、同様のロック工程が開始される。このプロセスが、ネットワーク内部で繰り返される。
【０００３】
【発明が解決しようとする課題】
しかし、この公知の方法においては、データ伝送がネットワーク全体において可能になるためには、まず全ての加入機は、マスタが出力したクロック周波数にロックしなければならないので、かなりの時間がかかる。従って、ネットワークを起動するのに必要な時間は、加入機の数に比例して増加し、通常、各ロック工程にかかる時間が約２０〜３０ｍｓであることから、全体としての遅延はすぐに相当のものとなる。
従って、本発明の課題は、ネットワークを起動するプロセスを迅速化することにある。
【０００４】
【課題を解決するための手段】
上記課題は、複数の加入機がリング状に相互接続されたデータ伝送用ネットワークを初期化するため、このネットワーク内において、あるネットワーク・ポジションから発生したクロック信号が連続データストリームとして送られ、各ネットワーク加入機において、そのデータストリームの受信後、前記クロック信号の特定周波数へのロック工程が行われ、このロック工程の完了後、データストリームは続いて次の加入機に送られ、各加入機がデータストリームを受信すると、前記クロック周波数へのロック工程を開始する前に、前記データストリームを２つに分け、その一方の部分を前記加入機におけるロック工程に利用するとともに、他方の部分を内部バイパス線を介して次の加入機に転送するネットワークの初期化方法において、ネットワークの初期化の際データストリームが前段の加入機の内部バイパス線を介して各加入機に転送されることで全加入機が同時的にロック工程を実行し、かつ、ロック工程に成功しエラーが発生していない加入機の内部バイパス線が遮断され、これにより続いて当該加入機を介してのみデータストリームが次の加入機に送られることによって解決される。
即ち、各加入機がデータストリームを受信すると、ロックする前に、このデータストリームを２つに分け、その一方の部分を当該加入機におけるロック工程に利用するとともに、他方の部分を即座に内部バイパス線を介して次の加入機に転送することにより達成される。
この場合、受信したデータストリームは同一または同等内容の２つのデータストリームに分けられることが好ましい。
このようになっていると、各加入機においてデータストリームを２つの同等のデータストリームに分割し、その１つを即座に内部バイパス線を介して次の加入機に転送することによって、ネットワーク内のすべての加入機はクロック信号を実質的に同時に受信し、ロック工程を開始することができる。従って、全加入機のロック工程が、１台の加入機がロック工程を行うのに必要な時間にほぼ等しい時間内に完了する。換言すると、全加入機が特定クロック周波数にロックするのに要する時間を、従来の方法よりも、ネットワーク内の加入機の数に等しい関数で減少させることができるのである。
【０００５】
ロック工程の開始と同時にデータストリームをすぐに次の加入機の転送するために、好ましくは、ある加入機によって受信されたデータストリームは、制御装置に入力され、ここで、複製工程により第１データストリームと第２データストリームとが生成され、第１データストリームは、ロック回路に送られ、第２データストリームは次の加入機に直接に転送される。
このように構成すれば、全加入機が、実質的に同時に、クロック信号を含むデータストリームを入手し、各加入機はデータストリームの他の加入機への転送に平行して前記ロック工程を開始することができるのである。
ロック工程の完了後、制御装置はロック回路に送られていた第１データストリームを次の加入機に転送するとともに、第２の直接データストリームを中断する。これによって初期化が完了し、このネットワークを使用して個々の加入機にデータを伝送することが可能になる。
【０００６】
本発明の一特徴構成において、ある加入機において誤作動が発生した場合、前記制御装置は、受信したデータストリームをそのまま次の加入機に転送する。
ある加入機の誤作動、例えば、前記クロック周波数にロックされていない状態で送られてくるという状態、はネットワーク内で伝送されるデータストリームが、この特定の加入機の位置において中断されたことを意味する。従って、一方向のリング構造ネットワークの場合、これによってデータ伝送は遮断してしまう。これに対して、本発明の前記特徴構成によれば、ある加入機において誤作動が生じた場合、この加入機は事実上ネットワークから除外される。換言すると、データストリームは、この加入機を単に通過するだけである。従って、ネットワークの他のすべての加入機間においてデータ伝送を継続して行うことが可能である。
【０００７】
受け取ったデータストリームの次の加入機への即座の転送は、制御装置が受け取ったデータストリームを複製し、その一方を次の加入機にそのまま転送し、他方をロック回路に送ることによって行われることが好ましい。もし、問題の加入機が、しばらく経って、例えば、リセット操作後において、再び正常に機能するようになれば、この加入機において新たにロック工程が開始される。そして、このロック工程が完了すると、データストリームの直接転送に代えて、この加入機を通じてデータストリームが適切に転送されるようになる。このようにして、一時的に機能不能となった加入機を、簡単な方法により再びネットワークに組み込むことが可能である。
【０００８】
誤作動の発生をはっきりと判るようにするために、問題の加入機の制御装置はエラー報告信号を発生することが好ましい。そして、このエラー報告信号は、更に、該加入機のアドレスを含み、この信号がネットワークから受信装置へと送られる。この受信装置は、例えば、問題の加入機を表示する表示装置を備えている。
【０００９】
【発明の実施の形態】
本発明の実施形態を、図面を参照して詳細に説明する。
図１に示すネットワークは、リング状に相互接続された４つの加入機１〜４を有している。これら４つの加入機は、例えば、無線受信装置１、データ源としてのＣＤプレーヤ２、アンプ３、データシンクとしてのＡＶ（ａｕｄｉｏ−ｖｉｄｅｏ）コントロール装置４とを有している。しかし、すべてのデータ源が同時に受信端末（データシンク）として機能することも可能であり、同様に、すべてのデータシンクが同時に、データ源、特に制御データ用のデータ源として機能することも可能である。
【００１０】
前記４つの加入機１〜４は、例えば光ファイバから形成されるデータ線５を介して互いに接続されている。これら夫々の加入機間のデータ伝送は、矢印６によって示された方向に行われる。
各加入機１〜４は、加入機１に対して図２に例示されているように、制御装置７を有する。種々の加入機を通じたデータ伝送は、制御装置７によって制御される。ネットワークデータ入力部８から受け取られたデータは、制御装置７に送られる。ここで、この制御装置７はＩＣとして構成され、ロック回路９を有するとともに、ネットワークデータ出力部１０に接続されている。
前記ネットワーク入力部８を介して受け取られたデータストリームは、前記制御装置によって複製され、第１データストリームと第２データストリームとに分割（分岐）される。第１データストリームは内部データ線１１を介して前記ロック回路９に送られ、ここでロック工程が開始される。第２データストリームは、内部バイパス線１２を介して直接に、前記ネットワーク出力部１０に接続される。ロック回路９がロック工程を完了すると、即座に、内部バイパス線１２が、このバイパス線１２に設けられたスイッチ１３によって示されているように、制御装置７により遮断される。
【００１１】
ネットワークが作動状態になると、前記スイッチ１３が閉じられ、ネットワーク入力部８を介して受け取られたデータストリームは、一方においてロック回路９に送られ、他方において次の加入機に転送される。この次の加入機も同様に受け取ったデータストリームを複製し、その一方をロック回路に送り、他方をネットワーク出力部１０を介して更に次の加入機に送る。ネットワーク内において、このプロセスが繰り返される。このようにして、ネットワーク起動後、全加入機が実質的に同時にクロック信号を受取り、これら加入機においてこの信号へのロック作業が平行して行われるのである。ロック作業の完了後、各加入機はそのバイパス線１２を遮断し、受け取ったデータストリームをそのロック回路９とネットワーク出力部１０とを介して次の加入機に伝送するのである。
【００１２】
【発明の効果】
上述の初期化方法によれば、１つのネットワークの全加入機が特定のクロック信号に実質的に同時にロックされる。即ち、ネットワークの全加入機のロック工程がパラレルに行われ、その所要時間は、１台の加入機がロック工程に要する時間と大差ない。
このように本発明によれば、従来の技術に比べて、ネットワークを起動するプロセスを大幅に迅速化することができた。
【００１３】
尚、特許請求の範囲の項に図面との対照を便利にするために符号を記すが、該記入により本発明は添付図面の構造に限定されるものではない。
【図面の簡単な説明】
【図１】複数の加入機を有するリング構造ネットワークを示す図
【図２】１つの加入機を通じたデータ伝送の流れを示す概略図
【符号の説明】
１、２、３、４    加入機
７                制御装置
９                ロック回路
【図１】
0003789155.tif 000002
【図２】
0003789155.tif 000003